(57)【要約】【課題】全面が閉ざされた通気性を有さない板状塀を設置したとしても、風速３０〜３８ｍ／ｓの風が吹き付ける環境において長期間に亘り倒れたり破損することがない板状塀用基礎部材の提供を目的とする。【解決手段】板状塀を鉛直方向に固定する板状塀用基礎部材であって、鉛直方向に延在する壁部と、当該壁部の下端より水平方向に延在する底盤部とが断面Ｌ字状に一体に成形され、当該壁部は、上端面に当該板状塀の下端から延びる支柱を挿入保持する支柱取付穴を有し、当該底盤部は、当該壁部からの延設長さが７０ｃｍ以上であることを特徴とする塀用基礎部材を採用する。【選択図】図１
2017166188.tif 000002
【特許請求の範囲】
【請求項１】
板状塀を鉛直方向に固定する板状塀用基礎部材であって、
鉛直方向に延在する壁部と、当該壁部の下端より水平方向に延在する底盤部とが断面Ｌ字状に一体に成形され、
当該壁部は、上端面に当該板状塀の下端から延びる支柱を挿入保持する支柱取付穴を有し、
当該底盤部は、当該壁部からの延設長さが７０ｃｍ以上であることを特徴とする板状塀用基礎部材。
【請求項２】
前記支柱取付穴の周囲の最小肉厚が４．５ｃｍ以上である請求項１に記載の板状塀用基礎部材。
【請求項３】
プレキャスト工法により得られたコンクリート構造物である請求項１又は請求項２に記載の板状塀用基礎部材。
【発明の詳細な説明】
【技術分野】
【０００１】
本件出願に係る発明は、板状塀用基礎部材に関する。
【背景技術】
【０００２】
従来より、戸建て住宅やマンション等の隣地との境界には、隣人からの視界を遮断してプライバシーの保護を図る目的で塀が設置されている。このような目的で用いる塀としては、通気領域（隙間孔等）を極力設けないことが好ましく、従来では単に空洞ブロックを積み上げて形成したブロック塀が多く用いられていた。しかし、このような構造では、塀の高さを高くするほど、積み上げる空洞ブロックの数が多くなる。よって、当該ブロック塀では、施工コストの増大や、施工期間の長期化を招く問題があった。
【０００３】
そのため現在では、このような問題に対し、例えば特許文献１に開示されるような、板状塀が用いられるようになってきている。特許文献１に開示される板状塀は、パネル体を立方体形状の基礎用コンクリートブロックに設置してなるものである。特許文献１に開示される基礎用コンクリートブロックは、高さが４００ｍｍ、幅が１０００ｍｍ、奥行きが１２０ｍｍ〜１４０ｍｍ、重量が１２ｋｇ〜１３ｋｇであり、軽量で作業性に優れることから、板状塀を短期間且つ低コストで施工することが出来る。
【先行技術文献】
【特許文献】
【０００４】
【特許文献１】特開平１０−３２５２６８号公報
【特許文献２】特開２０１６−２７２３６号公報
【発明の概要】
【発明が解決しようとする課題】
【０００５】
しかし、特許文献１に開示される基礎用コンクリートブロックは、設置するパネル体について、目隠し性の向上を図るべく極力通気領域（隙間孔）を有さないものにすると、突発的に強風が吹いた際に当該パネル体に多大な負荷がかかる。例えば、当該基礎用コンクリートブロックを風速３０〜３８ｍ／ｓの風圧力が加わる環境に設置した場合、当該パネル体を保持するコンクリートブロック部分に亀裂が生じて当該パネル体を保持出来なくなる恐れや、当該基礎用コンクリートブロック自体に倒れが生じる恐れがある。ここで、当該パネル体に設ける上述した通気領域の割合を大きくする程、風の影響を軽減させることが出来る。しかしながら、当該パネル体全体における当該通気領域の割合を限りなく０％に近いものにしなければ、完全な目隠し効果を得ることが出来ない。
【０００６】
上述した問題に対し、特許文献２には、風力の影響により破損することのない目隠しパネルとして「風の通過方向を奥行方向としたときに、当該奥行方向に沿って延長する複数の整流板の間に形成される複数の通風路を有する目隠しパネルであって、各整流板は、目隠しパネルの奥行寸法内に位置する頂部を基準として、奥行方向の一方側に所定角度傾斜して延長する第１整流部と、頂部を基準として、奥行方向の他方側に所定角度傾斜して延長する第２整流部とを備え、複数の整流板は、奥行方向と直交する面に沿う方向に一定の間隔を有して配列され、各整流板の頂部が、隣り合う他の整流板における前記第１整流部及び第２整流部の延長端を結ぶ仮想線上、又は当該仮想線よりも隣り合う他の整流板側に設定された構成」を採用することが開示されている。特許文献２に開示される目隠しパネルは、隣地を視認出来ぬよう屈曲又は湾曲した通風路を広い領域に設けた構造であるため、プライバシーの保護を十分に図りつつ、風の影響も軽減させることが可能である。しかしながら、特許文献２に開示の目隠しパネルは、風速３０〜３８ｍ／ｓ程度の強い風が吹く強風地域においては、整流板にかかる風圧力が大きくなるため対応が困難となる。更に、特許文献２に開示の目隠しパネルでは、その構造が複雑であるがゆえ部品数が多くなり、組み立てに時間と手間を要することから製品コストの増大を招き、コスト面から見ても好ましくない。
【０００７】
本件発明は、これら従来の問題点に着目してなされたものであり、全面が閉ざされた通気性を有さない板状塀を設置したとしても、風速３０〜３８ｍ／ｓの風が吹き付ける環境において長期間に亘り倒れたり破損することがない板状塀用基礎部材の提供を目的とする。
【課題を解決するための手段】
【０００８】
そこで、本件発明者等は、鋭意研究を行った結果、以下に述べる板状塀用基礎部材を採用することで、上記課題を解決することに想到した。
【０００９】
本件発明に係る板状塀用基礎部材は、板状塀を鉛直方向に固定する板状塀用基礎部材であって、鉛直方向に延在する壁部と、当該壁部の下端より水平方向に延在する底盤部とが断面Ｌ字状に一体に成形され、当該壁部は、上端面に当該板状塀の下端から延びる支柱を挿入保持する支柱取付穴を有し、当該底盤部は、当該壁部からの延設長さが７０ｃｍ以上であることを特徴とする。
【００１０】
本件発明に係る板状塀用基礎部材は、前記支柱取付穴の周囲の最小肉厚が４．５ｃｍ以上であることが好ましい。
【００１１】
本件発明に係る板状塀用基礎部材は、プレキャスト工法により得られたコンクリート構造物であることが好ましい。
【発明の効果】
【００１２】
本件発明に係る板状塀用基礎部材は、全面が閉ざされた通気性を有さない板状塀を設置したとしても、風速３０〜３８ｍ／ｓの風が吹き付ける環境において長期間に亘り倒れたり破損することがない。よって、本件発明に係る板状塀用基礎部材は、強風地域で、プライバシーの保護を図る目的以外にも風害（塩害を含む）を防止する目的等として好適に用いることが出来る。
【図面の簡単な説明】
【００１３】
【図１】本件発明に係る板状塀用基礎部材の一実施形態における斜視図である。
【図２】本件発明の板状塀用基礎部材の一実施形態における上面図である。
【図３】本件発明の板状塀用基礎部材の一実施形態における正面図である。
【図４】本件発明の板状塀用基礎部材の一実施形態における側面図である。
【図５】本件発明に係る板状塀用基礎部材を設置した状態を例示した断面図である。
【発明を実施するための形態】
【００１４】
以下、本件発明の実施の形態を図面に基づいて詳細に説明する。
【００１５】
本件発明に係る板状塀用基礎部材１は、板状塀を鉛直方向に固定する板状塀用基礎部材である。この板状塀用基礎部材１は、鉛直方向に延在する壁部３と、壁部３の下端より水平方向に延在する底盤部２とが断面Ｌ字状に一体に成形されたものである。本件発明に係る板状塀用基礎部材１は、このような形状とすることで、別途基礎コンクリート等を介さずとも地盤上に安定して自立することができ、施工作業の効率化を図ることが出来る。このときに、壁部３と底盤部２とは、その形状に関して特に限定されず、例えば矩形板状とすることが出来る。更に、本件発明に係る板状塀用基礎部材１は、断面がＬ字形状の躯体を有するため、施工状態において底盤部２の上に土砂を載置することで、土圧による位置ずれや転倒をより効果的に防ぐことが可能となる。
【００１６】
ここで、本件発明に係る板状塀用基礎部材１は、プレキャスト工法により得られたコンクリート構造物であることが好ましい。本件発明に係る板状塀用基礎部材１は、壁部３と底盤部２とをプレキャスト（ｐｒｅｃａｓｔ）工法により一体成形することで強度及び耐久性に優れたものとなり、例え板状塀５０に強い風が吹き付けたり、人が板状塀５０に寄りかかる等しても破損や転倒がし難いものとなる。そして、本件発明に係る板状塀用基礎部材１は、プレキャスト工法により一体成形されることで、現場でのコンクリート打設作業やコンクリートの養生期間が不要であり、施工作業が効率良く行なえて天候にも左右されることがない。すなわち、本件発明に係る板状塀用基礎部材１はプレキャスト工法により得られたコンクリート構造物であることで、配設作業を小型建設機械等を用いて簡単に行うことができ、施工の際に熟練工や特殊な設備が不要であるため、施工期間及び施工コストの増大を招くことがない。
【００１７】
ちなみに、コンクリートは、結合材であるセメントペースト中のセメントと水が化学反応し、ガラス質の結晶をつくることで硬化するものであり、硬化の過程において温度や湿度の影響を強く受ける。そのため、品質及び耐久性に優れたコンクリート製品を製造するにあたっては、これら環境条件を考慮することが重要となる。また、品質の優れたコンクリート製品を製造するには、打設工程において、水分の多くなった上面付近のコンクリートの密度を高めるための叩き等の作業を入念に行う必要や、養生工程において、生コン表面の乾燥や凍結から保護するために外気と遮断してセメントの水和に必要な水の不足を防ぐ必要がある。これら工程を入念に行わなければ、コンクリート製品にクラックが発生する等して強度及び耐久性が劣ることとなる。しかし、この点に関しても、本件発明に係る板状塀用基礎部材１は、プレキャスト工法により製造するため、工場等の製造設備によって、鉄筋の加工及び配筋から型枠の成型、そしてコンクリートの打設までの一連の作業を常に同じ条件で行うことができ、安定して高い品質を維持することが可能となる。
【００１８】
更に、本件発明に係る板状塀用基礎部材１は、プレキャスト工法により製造されることで、予め工場等で製造し保管しておくことができ、作業員の労力を分散させることが出来る。また、本件発明に係る板状塀用基礎部材１は、コンクリートの打設工程において、型枠内に板状や棒状の鋼材や合成樹脂繊維等の補強材を含有させることによって、板状塀用基礎部材１の強度を向上させ、耐久性をより優れたものとすることも出来る。
【００１９】
そして、本件発明に係る板状塀用基礎部材１において、壁部３は、上端面に板状塀５０の下端から延びる支柱５１を挿入保持する支柱取付穴５を有する。本件発明に係る板状塀用基礎部材１に固定する板状塀５０は、閉塞された面からなることで、低コストでありながらもプライバシーの保護を防止する効果を十分に得ることが出来るため好ましい。ここで、板状塀５０は、一枚板を設置又は複数枚の板をほぼ隙間なく設置することで、閉塞された面からなるものとすることが出来る。すなわち、この閉塞された面とは、面全体（板状塀５０が枠体を有する場合には当該枠体も含めた面全体）における隙間孔等の貫通した孔（通気領域）の割合が０％又は限りなく０％に近いものを言う。そして、板状塀５０は、その材質に関して特に限定されず、アルミニウム等の材質を適宜採用することが出来る。仮に、板状塀５０は、その材質をすりガラスとすることで、透視性を遮りながらも適度に光を採り入れることが出来るため、日照不足を招かない。また、板状塀５０は、その材質をガラス等の透視性に優れた材質とすることで、海岸近辺にある住宅等で、海側の眺望を確保しつつ、外設されたエアコン室外機等が腐食する塩害を防止する目的で用いることも出来る。
【００２０】
そして、本件発明に係る板状塀用基礎部材１において、底盤部２は、壁部３からの延設長さが７０ｃｍ以上である。本件発明に係る板状塀用基礎部材１は、底盤部２の壁部３からの延設長さ（図２，４中の符号Ｘを参照のこと）が７０ｃｍ以上であることで、地盤上により安定して自立させることが出来る。また、本件発明に係る板状塀用基礎部材１は、底盤部２の壁部３からの延設長さが７０ｃｍ以上であることで、少なくとも底盤部２の上に土砂等の盛土を行い設置することで、全面が閉ざされた通気性を有さない板状塀を風速３０〜３８ｍ／ｓの風が吹き付ける環境においてより長期間に亘り支障なく用いることが出来る。例えば、板状塀５０としてその全面が閉ざされた通気性のないものを用い、底盤部２の上に土砂等の盛土を行なった場合、地表面から板状塀５０の上端迄の長さが１８０ｃｍであれば、風速３０〜３８ｍ／ｓの強風が吹く強風地域で長期間に亘り使用したとしても何らの問題も生じない。以上では、底盤部２が延設される側（図５において板状塀用基礎部材の設置面高さの仮想線Ｌよりも上の符号１００で示す箇所）に盛土を行うことを述べたが、この盛土は、底盤部２が延設されない側（図５において板状塀用基礎部材の設置面高さの仮想線Ｌよりも上の符号１０１で示す箇所）にも行うことが出来る。そして、このときの盛土の高さは、底盤部２が延設される側と底盤部２が延設されない側とで異ならせることが出来る。
【００２１】
ここで、本件発明に係る板状塀用基礎部材１は、耐震性等にも優れたものであるため、段差を有する土地に設置して背面側の地盤の崩壊を防ぐための擁壁としても好適に用いることが出来る。擁壁として用いる板状塀用基礎部材１には、図１〜５に示す如く排水孔４を設けることが出来る。なお、図１〜５には、本件発明に係る板状塀用基礎部材１の底盤部２の厚さが均一に示されているが、重量を軽減させて運搬性及び施工性の向上を図ると共に、材料費を削減させて製品コストの低減を図るべく、底盤部２に関しては壁部３側から端部側に向かってその厚さが薄くなる様に上面に傾斜を設けることも出来る。
【００２２】
また、本件発明に係る板状塀用基礎部材１は、支柱取付穴５の周囲の最小肉厚が４．５ｃｍ以上であることが好ましい。本件発明に係る板状塀用基礎部材１は、その上端面（壁部３の上面）に支柱取付穴５を形成したものであり、この支柱取付穴５に板状塀５０の支柱５１下端部を挿入して板状塀５０を取り付ける構造となっている。ここで、本件発明に係る板状塀用基礎部材１は、支柱取付穴５周囲の最小肉厚（図２，４中の符号Ｙを参照のこと）が４．５ｃｍ未満の薄さになると上端における支柱取付穴５付近の強度が劣ることとなり好ましくない。支柱取付穴５周囲の最小肉厚が４．５ｃｍ未満の薄さでは、突発的に風速３０〜３８ｍ／ｓの強風が吹いたり、体重６０ｋｇ程度の大人が寄りかかったりした場合等に板状塀用基礎部材１が損傷する恐れがある。
【００２３】
更に、本件発明に係る板状塀用基礎部材１は、支柱取付穴５の周囲の最小肉厚が４．５ｃｍ以上であることで、通気性を有さず且つ高さ方向の長さが１８０ｃｍ程度の板状塀５０を取り付けたとしても強風地域で破損することなく用いることが出来る。板状塀５０はその全面が閉ざされた通気性を有さないものであることで、強風に対しての逃げが無くまともに風圧を受けることになる。しかし、本件発明に係る板状塀用基礎部材１は、支柱取付穴５の周囲の最小肉厚を４．５ｃｍ以上とすることで、高さ１８０ｃｍ程度の板状塀５０を設置したとしても、風速３０〜３８ｍ／ｓの強風が吹く強風地域で長時間損傷することなく使用することが出来る。
【００２４】
なお、図３〜５に示す板状塀用基礎部材１は、支柱取付穴５がテーパー状により形成されているが、支柱取付穴５をこのような形状とすることで、上端面に板状塀５０の支柱５１を容易に挿入することが可能となる。支柱取付穴５に板状塀５０の支柱５１を挿入した後に生じた隙間には、モルタル等を充填して支柱５１を板状塀用基礎部材１にしっかり固定することが出来る。
【００２５】
以上に、本件発明に係る板状塀用基礎部材１について述べたが、本件発明に係る板状塀用基礎部材１は、使用するセメントの種類について限定されず、用途に応じて例えばポルトランドセメント（ＪＩＳ  Ｒ  ５２１０）や混合セメント等を使用することができ、セメントに加える砂や砂利等の骨材の大きさや種類に関しても、用途に応じて大きさや種類を選択することが出来る。また、本件発明に係る板状塀用基礎部材１は、水セメント比に関しても、使用目的や製品の使用上の要求事項を考慮して適宜設定することができ、コンクリートの養生方法に関しても特に限定されず、例えば常温養生、加圧養生、オートクレーブ養生等を採用することが出来る。本件発明に係る板状塀用基礎部材１は、仮に、強度の高い高強度コンクリート製とすることで、より耐久性に優れたものとなる。
【００２６】
また、本件発明に係る板状塀用基礎部材１は、プレキャスト工法により得られたコンクリート構造物である場合に、図１に示す如く板状塀用基礎部材１，１０同士を連結可能な構造とすることで、作業性に優れた大きさとすることも出来る。この場合、板状塀用基礎部材１，１０には予めボルト締結用の穴を設けておき、隣接する板状塀用基礎部材１，１０同士を金属製のプレート等を用いてボルトにより共締めすることで、位置ずれしないよう強固に連結することが出来る。ここで、ボルト締め用の穴の数や位置に関しては、特に限定されず、使用環境等に合わせて適宜設定することが出来る。本件発明に係る板状塀用基礎部材１は、プレキャスト工法により得られたコンクリート構造物であることで、ボルト締め用穴の位置を高精度で形成することができ、隣接する板状塀用基礎部材１，１０同士の連結を支障なく行うことが出来る。
【産業上の利用可能性】
【００２７】
本件発明に係る板状塀用基礎部材を採用することにより、強風地域で通気性のない板状塀パネルを取り付けたとしても、長期間に亘り優れた転倒防止性及び耐久性を発揮することが出来る。また、本件発明に係る板状塀用基礎部材は、プレキャスト工法により製造されることで、高い品質を維持しながらも低価格化を実現することができ、設置場所の制限を受けることなく目隠し性の高い塀を少ない予算で施工することが出来る。よって、本件発明に係る板状塀用基礎部材は、プライバシーの保護を防止する目的で用いる塀以外にも、風害（特に塩害を含む）を防いだり、ポスター等を貼着する掲示板を設置する等、強風地域において様々な用途に好適に用いることが出来る。
【符号の説明】
【００２８】
１、１０    板状塀用基礎部材
２    底盤部
３    壁部
４    排水孔
５    支柱取付穴
５０    板状塀
５１    支柱（板状塀用）
１００    盛土（底盤部延在側）
１０１    盛土（底盤部非延在側）
Ｌ    板状塀用基礎部材の設置面高さの仮想線
Ｘ    底盤部の壁部からの延設長さ
Ｙ    支柱取付穴周囲の最小肉厚
【図１】
2017166188.tif 000003
【図２】
2017166188.tif 000004
【図３】
2017166188.tif 000005
【図４】
2017166188.tif 000006
【図５】
2017166188.tif 000007